(57)【要約】【課題】  発光体が容易に配設可能であり、発光体の熱を効率的に放出可能な箱状の照明器具を提供する。【解決手段】  照明器具１は、長尺の基板２１、基板２１の一面２１ａ側に設けられた発光素子２２および上面２６ａ側に基板２１が配設され下面２６ｂ側に長手方向に亘って放熱板３３，３４が設けられた放熱体２６を有する発光体３と、有底の箱形に形成され、側板１５に発光体３を挿入可能な挿入口１６が設けられた器具本体２と、長手方向に亘り放熱板３４，３４を摺動可能な係合部３９を備えたレール３８を有し、器具本体２の挿入口１６に対向して器具本体２の底面１０に設けられ、発光体３を取り付ける支持台４と、発光体３を支持台４に固定する固定手段５と、を具備している。【選択図】図３
2014107021.tif 000002
【特許請求の範囲】
【請求項１】
長尺の基板、この基板の一面側に設けられた発光素子および上面側に前記基板が配設され下面側に長手方向に亘って放熱板が設けられた放熱体を有する発光体と；
側板および底板によって有底の箱形に形成され、前記側板に前記発光体を挿入可能な挿入口が設けられた器具本体と；
長手方向に亘り前記放熱板を摺動可能な係合部を備えたレールを有し、前記挿入口に対向して前記器具本体の底面に設けられ、前記発光体を取り付ける支持台と；
前記発光体を前記支持台に固定する固定手段と；
を具備していることを特徴とする照明器具。
【請求項２】
前記放熱板は、前記放熱体の下面から垂下し、前記係合部に係合される係止部が設けられた板状の放熱フィンであり、前記支持台のレールは、前記放熱フィンを挟み込む支持フィンであることを特徴とする請求項１記載の照明器具。
【発明の詳細な説明】
【技術分野】
【０００１】
本発明の実施形態は、基板に光源としての発光素子が実装された発光体を具備する照明器具に関する。
【背景技術】
【０００２】
天井等の造営物に設置される照明器具には、発光素子としてのＬＥＤ素子が長尺の基板に実装されたＬＥＤモジュール（発光体）が使用されている。このＬＥＤモジュールは、高熱伝導率を有する金属例えばアルミニウム（Ａｌ）からなる放熱板に設置されている。この放熱板は、器具本体内に配設されている。そして、ＬＥＤ素子に発生した熱は、放熱板を介して器具本体に伝熱させて放熱させている。
【０００３】
ところで、ビルディングなどの建物においては、断面Ｔ字型のバー状部材で組んだ天井枠に照明器具や設備機器などを落とし込むシステム天井が用いられている。このシステム天井に組み込まれる照明器具には、ＬＥＤモジュールが器具本体の内部空間に位置して設けられているものがある（例えば特許文献１参照）。この照明器具は、ＬＥＤモジュールの器具本体の開口部からの高さ（深さ）が光源モジュールの側壁の高さによって設定されている。
【０００４】
また、システム天井用の照明器具には、４個のＬＥＤモジュール（ＬＥＤ器具）をロ字形に組み立てているものがある（例えば特許文献２参照。）。この照明器具は、天井の角形開口部の周囲に取り付けられた取付枠にＬＥＤモジュールが配置されている。ＬＥＤモジュールは、取付枠で包囲される空間内に配設されている。
【先行技術文献】
【特許文献】
【０００５】
【特許文献１】特開２０１１−２５８３１７号公報（第８頁、第３図）
【特許文献２】特開２０１０−１０１０６号公報（第５頁、第２図）
【発明の概要】
【発明が解決しようとする課題】
【０００６】
ＬＥＤモジュールを器具本体の内部空間に配設する照明器具は、放熱板と器具本体の熱結合が良好ではなく、ＬＥＤモジュールが温度上昇しやすいという欠点を有する。ここで、ＬＥＤモジュールを器具本体の底面に取り付ける照明器具もあるが、ＬＥＤモジュールは、ＬＥＤ実装基板と放熱板をねじ止めして設けられており、ねじのねじ部または頭部がＬＥＤモジュールと器具本体の間に介在して隙間を形成し、これにより、ＬＥＤモジュールの熱が器具本体側に熱伝導しにくいものである。
【０００７】
本発明の実施形態は、発光体が容易に配設可能であり、発光体の熱が効率的に放出される箱状の照明器具を提供することを目的とする。
【課題を解決するための手段】
【０００８】
実施形態の照明器具は、発光体、器具本体、支持台および固定手段を有して構成される。
【０００９】
発光体は、長尺の基板、発光素子および放熱体を有してなる。発光素子は、基板の一面側に設けられる。放熱体は、上面側に基板が配設され、下面側に長手方向に亘って放熱板が設けられている。
【００１０】
器具本体は、側板および底板によって有底の箱形に形成されている。そして、側板に発光体を挿入可能な挿入口が設けられている。
【００１１】
支持台は、器具本体の挿入口に対向して器具本体の底面に設けられている。そして、支持台は、長手方向に亘り発光体の放熱板を摺動可能な係合部を備えたレールを有してなり、発光体を取り付けている。
【００１２】
固定手段は、発光体を支持台に固定するものである。
【発明の効果】
【００１３】
本発明の実施形態によれば、発光体は、器具本体の挿入口から器具本体内に挿入され、放熱体の放熱板が支持台の係合部に摺動してレールに導入されることにより支持台に取り付けられるので、発光体を器具本体内に容易に配設できるとともに、発光体の熱を放熱体の放熱板から器具本体内に放熱させて挿入口から外部空間に放出させることができ、これにより、発光体の温度上昇を抑制できる。
【図面の簡単な説明】
【００１４】
【図１】本発明の一実施形態を示す照明器具であり、（ａ）は概略正面図、（ｂ）は概略下面図である。
【図２】同上、発光体の概略上面図である。
【図３】同上、照明器具の一部概略断面図である。
【図４】同上、他の支持台を示す概略断面図である。
【図５】同上、他の実施例の照明器具の一部概略断面図である。
【発明を実施するための形態】
【００１５】
以下、本発明の一実施の形態について、図面を参照して説明する。
【００１６】
本実施形態の照明器具１は、図１に示すように、器具本体２、発光体３、不図示の支持台４（図３に示す。）および固定手段としてのねじ５を有して構成される。この照明器具１は、システム天井に組み込まれるものであり、図１（ａ）に示すように、器具本体２がＴバー６に設置されている。器具本体２には、Ｔバー６からの落下を防止する落下防止金具８が一対（図中、１個のみを示す。）が設けられている。
【００１７】
器具本体２は、金属板例えば冷間圧延鋼板により、図１（ｂ）に示すように、それぞれ正方形の開口９および底面１０を有する箱形に形成されている。底面１０の中央部には、正方形の通孔１１が設けられている。そして、底面１０には、４個の発光体３がロ字形となるように配置されている。また、通孔１１の近傍には、発光体３を点灯する点灯装置１２および端子台１３が配設されている。点灯装置１２は、電源コード１４により端子台１３に接続されている。電源コード１４は、点灯装置１２に外部電源を供給する電源線および点灯装置１２から出力された電力を発光体３に供給する出力線からなっている。
【００１８】
そして、器具本体３の４個の側板１５には、それぞれ挿入口１６が設けられている。この挿入口１６は、側板１５，１５同士の境界線１７側の側板１５に形成されている。そして、挿入口１６は、発光体３を挿入し挿通可能な長方形に形成されている。
【００１９】
そして、端子台１３に接続された出力コード１８が挿入口１６を通って発光体３に接続されている。この出力コード１８により、点灯装置１２から発光体３に所定の電力（電流）が供給されるようになっている。
【００２０】
なお、本実施形態において、底面１０は、底板(天板)１９の４個の側板１５で包囲された面をいう。底板１９の背面２０側において、出力コード１８や外部電源が配線されている。器具本体２は、４個の側板１５および底板１９によって有底の箱形に形成されている。そして、器具本体２は、その開口９側に発光体３からの光を制御するバッフルを適宜設けてもよいものである。
【００２１】
発光体３は、図３に示すように、基板２１、発光素子としてのＬＥＤ素子２２および放熱体２６を有するＬＥＤモジュールに形成されている。基板２１は、長尺であって、平板状の金属板例えば厚さ１．０ｍｍのアルミニウム（Ａｌ）板からなり、一面２１ａに図示しない絶縁層を介してＬＥＤ素子２２を実装している。
【００２２】
ＬＥＤ素子２２は、図２に示すように、基板２１の長手方向に等間隔に本実施形態では２列に設けられており、列毎に図示しない配線パターンにより直列接続されている。また、基板２１の長手方向両端側には、それぞれコネクタ２７が配設されている。このコネクタ２７は、図示しない配線パターンにより直列接続されたＬＥＤ素子２２に接続されている。また、基板２１の長手方向両端側には、長方形の切り欠き部２８が形成されている。ＬＥＤ素子２２は、パッケージ品であり、所定の色光例えば白色光を放射するものが用いられている。
【００２３】
そして、本実施形態では、２個の基板２１が放熱体２６に、その長手方向に沿って設けられている。放熱体２６の上面２６ａは、平坦状であって、基板２１の幅および直線上に並んで設けられる２個の基板２１の全長よりも幾分大きい長形に形成されている。放熱体２６は、高熱伝導率を有する金属例えばアルミニウム（Ａｌ）からなっている。
【００２４】
発光体３は、その基板２１が放熱体２６の上面２６ａに図示しないねじにより取り付けられている。そして、２個の基板２１は、長手方向中間において隣り合うコネクタ２７，２７に接続されたリード線２９により電気接続されている。また、長手方向一端側のコネクタ２７は、出力コード１８に接続され、長手方向他端側のコネクタ２７は、２列のＬＥＤ素子２２が直列接続するように、不図示のリード線により短絡されている。出力コード１８は、基板２１の切り欠き部２８および放熱体２６の切り欠き部３０を通って引き出されている。
【００２５】
なお、基板２１は、ガラスエポキシ材などの合成樹脂板やセラミックス板であってもよい。また、放熱体２６の上面２６ａには、２個の基板２１が設けられるに限らず、３個または４個以上が設けられてもよい。また、発光体３は、放熱体２６の上面２６ａに１個の基板２１が設けられるように形成されていてもよい。
【００２６】
そして、放熱体２６の上面２６ａには、発光体３を内包するように、不図示のねじにより保護カバー３１が取り付けられている。保護カバー３１は、透光性の合成樹脂例えばアクリル樹脂からなり、図３に示すように、断面半円状の筒体に形成されている。そして、保護カバー３１の長手方向両端は、側板３２により閉塞されている。
【００２７】
放熱体２６の下面２６ｂ側には、下面２６ｂから所定長垂下する複数個の放熱板３３が設けられている。複数個の放熱板３３は、所定の厚さを有する板状に形成された放熱フィンであり、放熱体２６の長手方向に亘って互いに平行となるように設けられている。そして、放熱体２６の短手方向両側の放熱板３３，３３は、係止部としての凸条３５を有する放熱板３４，３４に形成されている。
【００２８】
放熱板３４は、板状の両側外面３４ａ，３４ａに、放熱体２６の長手方向に亘って凸条３５を形成している。凸条３５は、断面半球形に形成され、放熱板３４の先端３４ｂから所定の間隔で階段状に形成され、かつ、互いに平行となるように形成されている。放熱体２６は、例えばアルミダイキャストにより、複数個の放熱板３３および放熱板３４，３４を形成している。そして、放熱体２６は、支持台４に取り付けられている。
【００２９】
支持台４は、土台部３６の上面３６ａに支持フィン３７，３７を設けている。支持台４は、高熱伝導率を有する金属例えばアルミニウム（Ａｌ）からなり、ダイキャストにより成型され、放熱体２６とほぼ同等の外形を有する長形に形成されている。
【００３０】
土台部３６は、比較的大きい厚さを有する長方形に形成され、不図示のねじにより器具本体２の底面１０に密接して固定されている。また、土台部３６は、器具本体２の挿入口１６側の側面１５と平行となるように固定されている。すなわち、支持台３６は、器具本体２の挿入口１６に対向して器具本体２の底面１０に設けられ、発光体３を挿入口１６から挿入して支持台３６に取り付けられるように設けられている。
【００３１】
支持フィン３７，３７は、土台部３６の上面３６ａから起立して設けられ、発光体３の放熱板３４，３４と同等の間隔で土台部３６の長手方向に亘って設けられている。支持フィン３７は、発光体３の放熱板３４を挟み込むレール３８が形成されており、このレール３８の内壁３８ａ，３８ａに係合部としての凹条３９，３９が設けられている。凹条３９は、放熱板３４の凸条３５とほぼ同等の大きさを有する断面半球形に形成されているとともに、凸条３５と同間隔で階段状に設けられている。支持フィン３７の凹条３９に凸条３５が摺動するようにして、放熱板３４がレール３８に導入されてレール３８に沿って移動される。これにより、発光体３は、支持台４に取り付けられる。
【００３２】
そして、それぞれ階段状に設けた支持フィン３７の凹条３９および放熱板３４の凸条３５の係合位置によって、図５に示すように、発光体３の器具本体２の底面１０からの位置（高さ）が変更可能となっている。図５は、放熱板３４の先端側３３ｂの凸条３５，３５が支持フィン３７の下端側の凹条３９，３９に係合するようにして、放熱板３４，３４が支持フィン３７，３７に取り付けられている。
【００３３】
なお、支持フィン３７は、図４に示すように、互いに正対する凹条３９を有する一対の支持フィン４０ａ，４０ｂであってもよい。一対の支持フィン４０ａ，４０ｂは、発光体３の放熱板３４を挟み込み、放熱板３４の凸条３５が凹条３９に係合するように、土台部３６の上面３６ａ側に正対して設けられている。一対の支持フィン４０ａ，４０ｂ間は、支持台４Ａのレール３８となっている。発光体３の放熱板３４，３４は、その凸条３５，３５が支持フィン４０ａ，４０ｂの凹条３９，３９を摺動して、レール３８に沿って移動する。
【００３４】
また、本実施形態において、放熱板３４の凸条３５および支持フィン３７の凹条３９は、断面半球形に限らず、例えば断面四角形や断面三角形などに形成されてもよく、要するに凸条３５と凹条３９が互いに係合する形状に形成されていればよいものである。また、凸条３５および凹条３９は、所定の間隔で階段状に設けているが、連続的に設けてもよいものである。
【００３５】
また、発光体３の放熱フィン３３の外面３３ａ，３３ａには、放熱面積を大きくするために、例えば凹凸を形成してもよい。また、支持台４の支持フィン３７，３７のそれぞれの外面３７ａも、同様に、例えば凹凸に形成されてもよい。
【００３６】
そして、支持台４に取り付けられた発光体３は、固定手段としてのねじ５により固定されている。図３に示すように、支持フィン３７には、ねじ孔４１が外面３７ａから導入溝３８に貫通して形成されている。ねじ５は、発光体３の放熱板３４に強く当接するように、ねじ孔４１にねじ込まれている。これにより、放熱板３４がレール３８に沿って移動しなくなり、発光体３は、支持台４に固定される。ねじ５は、支持台４の複数箇所で設けられてもよく、この場合、発光体３は、さらに強固に支持台４に固定される。
【００３７】
次に、本実施形態の作用について述べる。
【００３８】
照明器具１は、出力コード１８が接続された状態で，器具本体２の挿入口１６から器具本体２内に挿入される。そして、支持フィン３７の凹条３９に対する放熱板３４の凸条３５の係合位置を設定して、凸条３５が凹条３９に係合するようにして放熱板３４，３４を支持フィン３７，３７のレール３８，３８に導入する。放熱板３４，３４をレール３８，３８に押し込むと、凸条３５が凹条３９に沿って摺動し、発光体３が支持台４の長手方向に移動する。
【００３９】
そして、放熱板３４，３４がレール３８，３８内に完全に導入されることにより、発光体３は、支持台４に取り付けられる。この後、ねじ５を支持フィン３７のねじ孔４１にねじ込むことにより、発光体３が支持台４に完全に固定される。このように、発光体３は、その放熱板３４，３４を支持台４の支持フィン３７，３７のレール３８，３８に移動させて取り付けるので、器具本体２内に容易に配設される。そして、４個の発光体３は、器具本体２の底面１０にロ字形に取り付けられる。
【００４０】
そして、点灯装置１２に外部電源が供給されると、発光体３の複数個のＬＥＤ素子２２が点灯し、発熱する。ＬＥＤ素子２２から白色光が放射される。白色光は、保護カバー３１を透過して、器具本体２の開口９から出射し、床面側の外部空間を照明する。
【００４１】
ＬＥＤ素子２２に発生した熱は、基板２１から放熱体２６に熱伝導されて、複数個の放熱フィン３３から器具本体２の内部空間に放出される。器具本体２の内部空間に放出された熱は、対流等により、器具本体２の挿入口１６および開口９から外部空間に放出される。また、放熱体２６に熱伝導された熱は、放熱板３４，３４から支持台４の支持フィン３７，３７に熱伝導され、さらに土台部３６に熱伝導される。支持台４に熱伝導された熱は、器具本体２の内部空間に放出され、器具本体２の挿入口１６および開口９から外部空間に放出される。また、器具本体２の底板１９に熱伝導されて外部空間に放出される。
【００４２】
放熱体２６および支持台４は、それぞれ高熱伝導率を有する金属例えばアルミニウム（Ａｌ）からなるので、ＬＥＤ素子２２に発生した熱は、迅速に熱伝導されて外部空間に放出される。これにより、ＬＥＤ素子２２の温度上昇が抑制されて、ＬＥＤ素子２２が長寿命化される。
【００４３】
本実施形態の照明器具１によれば、発光体３は、器具本体２の挿入口１６から器具本体２内に挿入され、放熱体２６の放熱板３４，３４が支持台４の支持フィン３７，３７のレール３８，３８に導入されて支持台４に取り付けられるので、発光体３を器具本体２内に容易に配設できるとともに、発光体２の熱が放熱体２６の放熱板３３，３４から器具本体２内に放熱され、器具本体２の挿入口１６から外部空間に放出させることができて、これにより、発光体２の温度上昇を抑制することができるという効果を有する。
【００４４】
また、発光体３の放熱板３４，３４は、所定の間隔で階段状に複数個の凸条３５を有し、支持台４の支持フィン３７，３７は、凸条３５が係合される複数個の凹条３９を有して形成されているので、凸条３５と凹条３９との係合位置を設定することにより、発光体３の器具本体２の底面１０からの位置（高さ）を適宜に設定できるという効果を有する。
【００４５】
なお、本実施形態において、発光素子として、ＬＥＤ素子２２を用いたが、有機エレクトロルミネセンス素子などを用いてもよい。また、点灯装置１２は、器具本体２内の底面１０に設けたが、別置または器具本体２の背面２０側などの他の部位に設けてもよい。
【００４６】
また、固定手段としてねじ５を用いたが、これに限らず、例えば放熱板３４に小突起、支持フィン３７に小凹部を形成し、放熱板３４，３４を支持フィン３７，３７のレール３８，３８に完全に導入したときに、小突起が小凹部に嵌め込むようなものであってもよい。
【００４７】
そして、本発明の一実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００４８】
１，１Ａ…照明器具、  ２…器具本体、  ３…発光体、  ４，４Ａ…支持台、  ５…固定手段としてのねじ、  １６…挿入口、  ２１…基板、  ２２…発光素子としてのＬＥＤ素子、  ２６…放熱体、  ３３，３４…放熱板、  ３７…支持フィン、  ３５…係止部としての凸条、  ３８…レール、  ３９…係合部としての凹条
【図１】
2014107021.tif 000003
【図２】
2014107021.tif 000004
【図３】
2014107021.tif 000005
【図４】
2014107021.tif 000006
【図５】
2014107021.tif 000007